(57)【要約】  【課題】  ハードディスク等を使用した携帯プレーヤーの消費電力を節減する。  【解決手段】  ＵＳＢケーブル１４を介して接続されたパーソナルコンピュータ１３からコンテンツデータとコマンドが受信される。ＵＳＢインターフェース１１が受信したコンテンツデータをハードディスク１５に書き込む。再生時に、選択されたコンテンツデータがハードディスク１５からＳＤＲＡＭ２０へ転送される。この場合、ＵＳＢインターフェース１１が非動作状態とされる。ハードディスク１５は、ＳＤＲＡＭ２０に蓄積するデータを読み出した後では、パワーがＯＦＦとされる。ＳＤＲＡＭ２０への書き込み並行して、ゲートアレイ１８の制御によって、ＳＤＲＡＭ２０内のコンテンツデータがデコーダ２１へ転送される。デコーダ２１で処理されたコンテンツデータがマイクロコンピュータ１のＤ／Ａコンバータ７に転送され、アナログ信号に変換されて出力される。【選択図】  図１
2006018869.tif 000002
【特許請求の範囲】
【請求項１】
コンテンツデータを外部の供給源から記憶装置に転送し、記憶装置に蓄積されているコンテンツデータの所望のものを再生する再生装置において、
マイクロコンピュータからなり、装置全体を制御するシステム制御部と、
コンテンツ供給源とのインターフェースと、
上記インターフェースを介してコンテンツ供給源から転送されたコンテンツデータが蓄積される記憶装置と、
上記システム制御部によって、再生時に所望のコンテンツデータを上記記憶装置から半導体メモリに転送すると共に、上記半導体メモリから上記コンテンツデータを読み出すように制御されるディジタル回路部とからなる再生装置。
【請求項２】
請求項１において、
再生時に、上記所望のコンテンツデータを上記半導体メモリに転送した後に、上記記憶装置の電源をＯＦＦとする再生装置。
【請求項３】
請求項１において、
再生時に、上記インターフェースを非動作状態とする再生装置。
【請求項４】
請求項１において、
上記コンテンツデータが圧縮符号化されており、
上記半導体メモリから読み出されたコンテンツデータが圧縮符号化を復号するデコーダに上記ディジタル回路部を介して供給される再生装置。
【請求項５】
請求項１において、
上記所望のコンテンツデータは、ユーザにより選択されたコンテンツデータである再生装置。
【請求項６】
請求項５において、
上記所望のコンテンツデータは、ユーザにより選択されたコンテンツデータの１単位と、上記半導体メモリに蓄積可能な量の他のコンテンツデータである再生装置。
【請求項７】
請求項６において、
上記他のコンテンツデータが上記選択されたコンテンツデータの１単位の後に続く順番のコンテンツデータである再生装置。
【発明の詳細な説明】
【技術分野】
【０００１】
この発明は、携帯プレーヤーに適用される再生装置に関する。
【背景技術】
【０００２】
最近では、音楽プレーヤーとして半導体メメモリ、またはハードディスクを使用した携帯プレーヤーが普及しつつある。特に、大容量（数Ｇバイト〜数十バイト）のハードディスクを使用した携帯プレーヤーは、圧縮した音楽ファイルを１０００曲以上蓄積することができる。
【０００３】
光磁気ディスクを使用したプレーヤーにおいて、振動、衝撃等の機械的な外乱によって、音飛びを防止するために、バッファとしての半導体メモリに介して再生データを得ることが行われている。その場合、半導体メモリに蓄積されているデータのデータ量を表示することによって半導体メモリの状態が直ぐに分かるようにする再生装置が下記の特許文献１に記載されている。
【０００４】
【特許文献１】特開２００２−０４０９１１号公報
【発明の開示】
【発明が解決しようとする課題】
【０００５】
ハードディスク携帯プレーヤーでは、非常に多くの曲を蓄積できるので、再生可能時間が長時間であることが望ましい。現状では、電池が満充電時で音楽の連続再生時間が８時間程度のものが多く、再生時間の長さが充分満足できるとは言えなかった。
【０００６】
したがって、この発明の目的は、省電力化を図り、電池使用時の再生時間をなるべく長くすることができる再生装置を提供することにある。
【課題を解決するための手段】
【０００７】
上述した画題を解決するために、この発明は、コンテンツデータを外部の供給源から記憶装置に転送し、記憶装置に蓄積されているコンテンツデータの所望のものを再生する再生装置において、
マイクロコンピュータからなり、装置全体を制御するシステム制御部と、
コンテンツ供給源とのインターフェースと、
インターフェースを介してコンテンツ供給源から転送されたコンテンツデータが蓄積される記憶装置と、
システム制御部によって、再生時に所望のコンテンツデータを記憶装置から半導体メモリに転送すると共に、半導体メモリからコンテンツデータを読み出すように制御されるディジタル回路部とからなる再生装置である。
【０００８】
また、消費電力の低減のために、再生時に、所望のコンテンツデータを半導体メモリに転送した後に、記憶装置の電源をＯＦＦとするとが望ましい。
【０００９】
さらに、消費電力の低減のために、再生時に、インターフェースを非動作状態とすることが望ましい。
【発明の効果】
【００１０】
この発明によれば、記憶装置に蓄積されたコンテンツデータを再生する時に、マイクロコンピュータからなるシステム制御部が所望のコンテンツデータを記憶装置から再生する処理を行う構成と異なり、ディジタル回路部によって所望のコンテンツデータを記憶装置から再生し、さらに、記憶装置から半導体メモリに所望のコンテンツデータを転送する処理をディジタル回路部が制御している。ディジタル回路部が再生時のコンテンツデータの読み出し、転送を制御することによって、システム制御部のマイクロコンピュータが読み出し・転送を制御するのと比較して、消費電力を節減できる。さらに、再生時には、インターフェースを非動作状態とし、再生時のデータ転送終了後に記憶装置の電源をＯＦＦとすることによって、消費電力をより節減できる。
【発明を実施するための最良の形態】
【００１１】
以下、この発明をハードディスク携帯プレーヤーに適用した一実施形態について図面を参照して説明する。一実施形態では、音楽プレーヤーの例であるが、静止画、動画等の画像プレーヤーに対してもこの発明を適用することができる。
【００１２】
図１は、この発明の一実施形態の全体的構成を示す。図１において、参照符号１がプレーヤーの全体の動作を制御するシステム制御部としてのマイクロコンピュータを示す。マイクロコンピュータ１は、水晶発振器２で生成された２２．５ＭHzのクロックで動作する。マイクロコンピュータ１に対して、キー３、リチウムイオン電池等の二次電池４、重力加速度を監視するセンサー５および時刻発生等の計時用のリアルタイムクロック６が接続されている。二次電池４の端子電圧等の状態信号がマイクロコンピュータ１に入力され、二次電池４の残容量表示が可能とされている。
【００１３】
マイクロコンピュータ１のＤ／Ａコンバータ７から再生されたアナログ音楽信号がヘッドホンアンプ８に対して出力される。再生音楽信号がヘッドホン・リモコンジャック９を介してヘッドホン（図示しない）に対して供給される。Ｄ／Ａコンバータ７において、ユーザの操作部の操作に応じて音量をアップ／ダウンすることが可能とされている。
【００１４】
参照符号１１は、ＵＳＢ(Universal Serial Bus)インターフェースを示す。水晶発振器１２で生成された１２ＭHzのクロックでＵＳＢインターフェース１１が動作する。ＵＳＢインターフェース１１は、動作状態と非動作状態とがマイクロコンピュータ１によって切替可能とされている。非動作状態は、ＵＳＢインターフェース１１の電源をＯＦＦとしたり、クロック生成用の水晶発振器１２をＯＦＦとすることで実現される。非動作状態では、動作状態と比較してＵＳＢインターフェース１１で消費される電力がより少ないものとされる。
【００１５】
ＵＳＢインターフェース１１のＵＳＢポートと外部のコンテンツデータ供給源としてのパーソナルコンピュータ（ＰＣ）１３のＵＳＢポートとの間がＵＳＢケーブル１４で接続され、両者の間で例えばＵＳＢ２．０の規格に準拠した通信がなされる。ＵＳＢインターフェース１１は、バッファメモリとしてのＦＩＦＯ(First-In First-Out)を備えている。
【００１６】
参照符号１５は、記憶装置としてのハードディスクである。例えば１．８インチで２０Ｇバイトの容量のハードディスクが使用される。参照符号１６は、表示部例えば２インチのサイズのＬＣＤ（Liquid Crystal Display)である。ＬＣＤ１６は、ＬＣＤコントロー
ラ１７によって制御される。
【００１７】
さらに、参照符号１８がマイクロコンピュータ１によって制御されるディジタル回路部としてのゲートアレイを示す。ゲートアレイは、一般的に基本セルを並べたマスターウェハ（配線の直前のウェハ）を準備しておき、ユーザの論理回路図とタイミングチャートに基づいて配線を行うセミカスタムのディジタルＩＣである。ディジタルＩＣであるため、同一の処理を行うとした場合に、マイクロコンピュータ１と比較して消費電力が少なくできる。ゲートアレイ１８には、周辺のＩＣ回路とのインターフェースと共に、ＤＭＡＣ(Direct Memory Access)１９が設けられている。また、ゲートアレイ１８には、ヘッドホン・リモコンジャック９のリモコン信号のシリアルインターフェースＳＩＯ１が設けられている。
【００１８】
参照符号２１が圧縮符号化のデコーダを示す。圧縮符号化としては、ＭＰ３(MPEG1 Audio Layer III)、ＡＴＲＡＣ(Adaptive Transfer Acoustic Coding)３等の方式を使用できる。デコーダ２１には、復号等の処理のためのメモリが設けられている。デコーダ２１では、必要に応じてサラウンド処理がなされる。デコーダ２１とマイクロコンピュータ１との間がシリアルインターフェースＳＩＯ２で接続され、マイクロコンピュータ１がデコーダ２１の状態を検出することが可能とされている。
【００１９】
ゲートアレイ１８には、バッファ用のメモリ例えば１６ＭバイトのＳＤＲＡＭ(Synchronous Dynamic Random Access Memory)２０が接続されている。ゲートアレイ１８のＤＭＡＣ１９は、ＳＤＲＡＭ２０に蓄積されているコンテンツデータをデコーダ２１のメモリに対して転送するように制御する。ＳＤＲＡＭ２０の容量は、ユーザが選択したコンテンツデータの１単位を格納することができるものに選ばれている。例えばコンテンツデータが楽曲データの場合、ＳＤＲＡＭ２０には、約２０分程度の長さのコンテンツデータを蓄積できる。したがって、ユーザが選曲した１曲のデータのみならず、その楽曲データの後に続く楽曲データ（通常、２〜３曲程度）もＳＤＲＡＭ２０に蓄積できる。若し、ユーザが選択した楽曲から後の楽曲を引き続き再生する場合では、ＳＤＲＡＭ２０に蓄積されている楽曲データを利用でき、ハードディスク１５に対するアクセスを不要とできる。
【００２０】
マイクロコンピュータ１とゲートアレイ１８との間がバス２２を介して接続されている。バス２２には、マイクロコンピュータ１のプログラム等を格納するためのフラッシュメモリ２３が接続されている。
【００２１】
ＵＳＢインターフェース１１、ハードディスク１５およびゲートアレイ１８がバス２４を介して接続されている。ＵＳＢインターフェース１１、ＬＣＤコントローラ１７およびゲートアレイ１８がバス２５を介して接続されている。
【００２２】
図２は、この発明の一実施形態による携帯音楽プレーヤーの外観を示す。前面のパネルにＬＣＤ１６で構成された表示部３１と、操作部３２とが設けられている。操作部３２は、キー３（図１）に含まれるものである。操作部３２は、上下左右の４カ所に設けられ、独立して押すことができる方向キーと、中央部の決定ボタンとを有する。操作部３２を操作することによって、プレーヤーの動作（再生、早送り、巻き戻し）を選択でき、また、表示部３１上でカーソルを移動させることが可能とされている。さらに、本体に対してモード切替ボタン、メニューボタン、音量アップ／ダウンボタン、ホールドボタン等が必要に応じて設けられている。
【００２３】
表示部３１には、楽曲名、アルバム名、歌手名等が表示され、蓄積している多数の楽曲の中から所望の楽曲を選択できる。例えば歌手名、アルバム名、タイトルの順で所望の曲が選曲される。また、電池の残容量、現在日時、再生時間等も表示部３１に表示される。さらに、本体の側面には、ヘッドホン・リモコンジャック９、クレードル接続用のＵＳＢジャック等が設けられている。クレードルは、ＡＣアダプタとしての機能を有し、クレードルに置かれた状態で、内蔵の二次電池が充電可能とされている。ヘッドホン・リモコンジャック９に対してヘッドホン・リモコンプラグ３３が挿入される。
【００２４】
図３は、一実施形態における衝撃対策を説明するものである。センサー５は、加速度センサーであり、プレーヤー本体の縦、横、奥行きの３方向への重力加速度を監視するものである。センサー５の検出信号を受け取ったマイクロコンピュータ１は、予め設定したアルゴリズムに基づいて、本体の落下を検知する。
【００２５】
ハードディスクの動作時には、ハードディスク４１上に磁気記録ヘッド４２が位置している。上述したように、センサー５の検出信号からマイクロコンピュータ１が本体の落下を検知すると，磁気記録ヘッド４２をハードディスク４１上から退避させる。したがって、ハードディスク動作時に受ける衝撃によって磁気記録ヘッド４２がハードディスク４１を傷つけることを防止することが可能となる。
【００２６】
上述したこの発明の一実施形態における信号の流れについて説明する。最初に、パーソナルコンピュータ１３からハードディスク１５に対するコンテンツデータをダウンロードする場合の処理について説明する。
【００２７】
パーソナルコンピュータ１３のハードディスクには、ＣＤ（コンパクトディスク）等の媒体からリッピングされたコンテンツデータ、ネットワークを介して取得されたコンテンツデータが蓄えられている。一実施形態によるプレーヤーがパーソナルコンピュータ１３に対してＵＳＢケーブル１４を介して接続されると、既にデバイスドライバがインストールされていれば、パーソナルコンピュータ１３によって、プレーヤーがリムーバブルなハードディスクとして認識され、利用可能となる。必要なデバイスドライバがパーソナルコンピュータ１３にインストールされていない場合では、デバイスドライバがインストールされる。
【００２８】
次に、パーソナルコンピュータ１３からコンテンツデータとコマンドが送信される。コンテンツデータは、ＭＰ３、ＡＴＲＡＣ３等の圧縮符号化されたコンテンツデータであるが、ここでは、符号化コンテンツデータおよび非符号化コンテンツデータの両者を区別せずにコンテンツデータと称する。また、コンテンツデータが暗号化されている場合に対してもこの発明を適用することができる。
【００２９】
コンテンツデータがパーソナルコンピュータ１３からＵＳＢケーブル１４を経由して送信される。ＵＳＢインターフェース１１が一旦コンテンツデータを受信する。そして、ハードディスク１５に対してコンテンツデータが書き込まれる。データは、（経路Ｓ１→経路Ｓ２→バス２４）を通る。
【００３０】
コマンドは、パーソナルコンピュータ１３からＵＳＢケーブル１４を介してプレーヤーに送信される。ＵＳＢインターフェース１１が一旦コマンドを受信する。そして、メインのマイクロコンピュータ１がゲートアレイ１８を経由してＵＳＢインターフェース１１からコマンドを引き取る。コマンドは、（経路Ｓ１→経路Ｓ３→バス２５→経路Ｓ４→バス２２）を通る。マイクロコンピュータ１は、受け取ったコマンドに応じた制御信号例えば受け取ったコンテンツデータをハードディスク１５に書き込むための制御信号を発生する。
【００３１】
パーソナルコンピュータ１３からのコンテンツデータのダウンロード時では、パーソナルコンピュータ１３のデバイスドライバの制御の下でマイクロコンピュータ１が動作し、ハードディスク１５に対してコンテンツデータがＵＳＢインターフェース１１を経由して蓄積される。
【００３２】
次に、再生時のコンテンツデータの流れを説明する。ユーザは、ＬＣＤ１６で構成される表示部３１の表示と、操作部３２の操作とによって、所望のコンテンツデータ例えば楽曲データを選択する。ゲートアレイ１８のＤＭＡＣ１９の制御によって、選択されたコンテンツデータが（バス２４→経路Ｓ５）を介してハードディスク１５からＳＤＲＡＭ２０へ転送される。この場合では、ＵＳＢインターフェース１１をコンテンツデータが通らないので、マイクロコンピュータ１の制御によってＵＳＢインターフェース１１が非動作状態とされ、消費電力の節減が図られている。
【００３３】
また、ハードディスク１５は、ＳＤＲＡＭ２０に蓄積するデータを読み出した後では、パワーがＯＦＦとされる。一例として、ハードディスク１５からコンテンツデータをＳＤＲＡＭ２０に転送するのに、数秒程度必要とされる。ハードディスク１５に蓄積されているコンテンツデータを一旦ＳＤＲＡＭ２０に転送することによって、再生時に、ハードディスク１５からリアルタイムに再生データを得るのと比較して消費電力を節減することができ、また、ハードディスク１５が動作中に衝撃等で損傷するおそれを少なくすることができる。
【００３４】
ＳＤＲＡＭ２０への書き込み並行して、ゲートアレイ１８のＤＭＡＣ１９の制御によって、ＳＤＲＡＭ２０内のコンテンツデータが（経路Ｓ６→インターフェースＳ７）を介してデコーダ２１へ転送される。デコーダ２１では、圧縮符号化の復号、サラウンド処理、ＰＣＭデータへの変換処理等がなされる。デコーダ２１で処理されたコンテンツデータが（経路Ｓ８→インターフェースＳ９）を経由してマイクロコンピュータ１へ転送される。
【００３５】
マイクロコンピュータ１では、Ｄ／Ａコンバータ７において、ディジタル信号をアナログ信号に変換する処理と、音量調整がなされる。アナログ音楽信号がヘッドホンアンプ８を介してヘッドホン・リモコンジャック９に供給され、ヘッドホン・リモコンジャック９に接続されたヘッドホンによって聞くことができる。
【００３６】
以上、この発明の一実施形態について具体的に説明したが、この発明は、上述の一実施形態に限定されるものではなく、この発明の技術的思想に基づく各種の変形が可能である。例えば、パーソナルコンピュータとのインターフェースとしては、ＵＳＢ以外の有線または無線インターフェースを使用しても良い。また、記憶装置としては、内蔵のハードディスク以外にカードタイプのリムーバブルなハードディスク、ＭＤ（ミニディスク）等を使用しても良い。さらに、再生機能のみならず、記録機能を持つことも可能である。
【図面の簡単な説明】
【００３７】
【図１】この発明の一実施形態による再生装置のブロック図である。
【図２】この発明の一実施形態の外観を示す略線図である。
【図３】この発明の一実施形態の衝撃に対する対策を説明するための略線図である。
【符号の説明】
【００３８】
１・・・システム制御用マイクロコンピュータ
７・・・Ｄ／Ａコンバータ
９・・・ヘッドホン・リモコンジャック
１１・・・ＵＳＢインターフェース
１３・・・パーソナルコンピュータ
１５・・・ハードディスク
１６・・・ＬＣＤ
１８・・・ゲートアレイ
２０・・・ＳＤＲＡＭ
２１・・・デコーダ
【図１】
2006018869.tif 000003
【図２】
2006018869.tif 000004
【図３】
2006018869.tif 000005